(57)【特許請求の範囲】
【請求項１】
送信元装置により、前記送信元装置の装置パラメータであって、少なくとも前記送信元装置の装置ベンダー、前記送信元装置の装置識別情報、前記送信元装置によってサポートされるサービス種別、前記送信元装置によってサポートされるメディア・フォーマット、前記送信元装置の解像度を含む、前記送信元装置の装置パラメータ、を前記送信元装置が置かれるローカル・エリア・ネットワークにアクセスする送信先装置に送信すること、及び前記送信先装置により送信された前記送信先装置の装置パラメータであって、少なくとも前記送信先装置の装置ベンダー、前記送信先装置の装置識別情報、前記送信先装置によってサポートされるサービス種別、前記送信先装置によってサポートされるメディア・フォーマット、前記送信先装置の解像度を含む、前記送信先装置の装置パラメータ、を受信することと、
前記送信先装置がマルチスクリーン・インタラクションを実行する必要がある場合に、前記送信元装置により、前記送信元装置により再生されるメディア・コンテンツのメディア情報を前記送信先装置に送信することと、
前記送信先装置により、前記メディア情報及び前記送信先装置の前記装置パラメータに従ってネットワーク・サーバに前記メディア・コンテンツを要求することと、
前記ネットワーク・サーバにより、前記送信先装置の前記装置パラメータに従って、前記送信先装置の前記装置パラメータに対応するメディア・コンテンツを前記送信先装置に送信することと、
前記ネットワーク・サーバにより送信された前記メディア・コンテンツが受信された後に、前記送信先装置により、前記送信元装置の前記装置パラメータに従って、前記送信元装置によって再生されている前記メディア・コンテンツの再生状態を検出し、かつ前記再生状態に従って前記送信先装置の前記メディア・コンテンツを再生することと、
を含む、マルチスクリーン・インタラクション方法。
【請求項２】
送信元装置により、前記送信元装置の装置パラメータを前記送信元装置が置かれるローカル・エリア・ネットワークにアクセスする送信先装置に送信すること、及び前記送信先装置により送信された前記送信先装置の装置パラメータを受信する前に、
前記送信先装置が、前記送信元装置が置かれる前記ローカル・エリア・ネットワークにアクセスした後に、前記送信元装置によって、前記ローカル・エリア・ネットワーク内の第１のインターネット・プロトコルＩＰアドレスにブロードキャストされる、前記マルチスクリーン・インタラクションをサポートする装置が前記ローカル・エリア・ネットワーク内に存在するか否かを問い合わせるために使用される問い合わせメッセージを監視することと、
前記送信元装置により、前記送信先装置との前記マルチスクリーン・インタラクションが実行される予定であることを確認することと、
を含む、請求項１に記載の方法。
【請求項３】
前記再生状態に従って前記送信先装置の前記メディア・コンテンツを再生した後に、
前記ネットワーク・サーバにより、前記送信先装置及び前記送信元装置が同一グループにあるか否かを決定し、かつ前記送信先装置及び前記送信元装置が前記同一グループにない場合、前記送信元装置及び前記送信先装置を前記同一グループに設定すること、
を含む、請求項１に記載の方法。
【請求項４】
前記送信元装置により、前記送信元装置によって再生されているメディア・コンテンツのメディア情報を前記送信先装置に送信する前に、前記マルチスクリーン・インタラクション方法は、
前記送信元装置により、前記ネットワーク・サーバから、前記メディア・コンテンツが前記マルチスクリーン・インタラクションをサポートするか否かと、前記送信先装置が前記マルチスクリーン・インタラクションを実行する権限を有しているか否かと、を得ることを含み、かつ
前記送信元装置により、前記送信元装置により再生されているメディア・コンテンツのメディア情報を前記送信先装置に送信することは、
前記メディア・コンテンツが前記マルチスクリーン・インタラクションをサポートし、かつ、前記送信先装置が前記マルチスクリーン・インタラクションを実行する権限を有する場合、前記送信元装置により、前記メディア・コンテンツの前記メディア情報を前記送信先装置に送信すること、
を含む、請求項１に記載の方法。
【請求項５】
前記送信元装置により、前記ネットワーク・サーバから、前記メディア・コンテンツが前記マルチスクリーン・インタラクションをサポートするか否かと、前記送信先装置が前記マルチスクリーン・インタラクションを実行する権限を有するか否かと、を得ることは、
前記送信元装置により、前記ネットワーク・サーバから、前記メディア・コンテンツが前記マルチスクリーン・インタラクションをサポートするか否かを得て、かつ前記メディア・コンテンツが前記マルチスクリーン・インタラクションをサポートすることが得られた後、前記ネットワーク・サーバから、前記マルチスクリーン・インタラクションが前記メディア・コンテンツについて実行される場合に、料金を支払う必要があるか否かを得ることと、
前記マルチスクリーン・インタラクションが前記メディア・コンテンツについて実行される場合に、前記料金を支払う必要があることが得られた後に、前記送信元装置により、前記ネットワーク・サーバから、前記送信先装置又は前記送信先装置と同一グループにある装置が前記料金を支払ったか否かを得ることと、
前記送信元装置が、前記送信先装置又は前記送信先装置と同一グループにある装置が前記料金を支払ったことを得た場合、前記送信先装置は、前記マルチスクリーン・インタラクションを実行する権限を有することを決定することと、
を含む、請求項４に記載の方法。
【請求項６】
前記ネットワーク・サーバにより送信された前記メディア・コンテンツが受信された後に、前記送信先装置により、前記送信元装置の前記装置パラメータに従って、前記送信元装置により再生されている前記メディア・コンテンツの再生状態を検出し、かつ前記再生状態に従って前記送信先装置の前記メディア・コンテンツを再生することは、
前記送信先装置により、同期制御動作が前記送信先装置を使用することにより前記送信先装置及び前記送信元装置に対して実行されることを要求するための要求メッセージを前記ネットワーク・サーバに送信することと、
前記要求メッセージが受信された後に、前記ネットワーク・サーバにより、前記送信先装置及び前記送信元装置が前記同一グループにあるか否かと、前記送信元装置がオンライン状態であるか否かと、前記送信先装置により再生されている前記メディア・コンテンツが前記送信元装置により再生されているメディア・コンテンツと同一であるか否かと、を決定することと、
前記ネットワーク・サーバが、前記送信先装置及び前記送信元装置が前記同一グループにあることと、前記送信元装置がオンライン状態であることと、前記送信先装置によって再生されている前記メディア・コンテンツが前記送信元装置によって再生されている前記メディア・コンテンツと同一であることとを決定した場合に、前記送信先装置及び前記送信元装置に対して前記同期制御動作を実行することを前記送信先装置に指示するために、前記ネットワーク・サーバにより、前記要求メッセージに対応するフィードバックメッセージを前記送信先装置に送信することと、
前記送信先装置が、前記同期制御動作が実行される予定であることを確認した後に、前記ネットワーク・サーバにより、前記送信先装置及び前記送信元装置を接続状態に設定することと、
状態同期が前記送信先装置の前記メディア・コンテンツ及び前記送信元装置の前記メディア・コンテンツに対して実行されるように、前記送信先装置により、前記メディア・コンテンツを一時停止すること、前記メディア・コンテンツを巻き戻すこと、前記メディア・コンテンツを早送りすること、及び前記メディア・コンテンツを閉じることを含む、前記送信先装置及び前記送信元装置に対する前記同期制御動作を実行することと、
を含む、請求項３に記載の方法。
【請求項７】
前記ネットワーク・サーバにより、前記送信元装置で再生される前記メディア・コンテンツの信号を監視し、かつ前記送信元装置がオフライン状態になった後に、前記送信元装置で再生される前記メディア・コンテンツの進行を保存することと、
前記送信元装置と同一グループにある前記送信先装置が前記メディア・コンテンツを再生する場合に、前記ネットワーク・サーバにより、前記送信元装置で再生される前記メディア・コンテンツの前記進行に関して先記送信先装置に入力を促すことと、
前記送信先装置が前記送信元装置で再生される前記メディア・コンテンツの前記進行に従って再生を実行することを決定した後に前記メディア・コンテンツを再生することと、
をさらに含む、請求項３に記載の方法。
【請求項８】
複数のメディア装置及びネットワーク・サーバを備え、前記複数のメディア装置は、送信元装置及び送信先装置を備え、前記送信元装置は、
前記送信元装置の装置パラメータであって、少なくとも前記送信元装置の装置ベンダー、前記送信元装置の装置識別情報、前記送信元装置によってサポートされるサービス種別、前記送信元装置によってサポートされるメディア・フォーマット、前記送信元装置の解像度を含む、前記送信元装置の装置パラメータ、を前記送信元装置が置かれるローカル・エリア・ネットワークにアクセスする前記送信先装置に送信し、かつ前記送信先装置によって送信された前記送信先装置の装置パラメータであって、少なくとも前記送信先装置の装置ベンダー、前記送信先装置の装置識別情報、前記送信先装置によってサポートされるサービス種別、前記送信先装置によってサポートされるメディア・フォーマット、前記送信先装置の解像度を含む、前記送信先装置の装置パラメータ、を受信するように構成される第１の送受信ユニットと、
前記送信先装置がマルチスクリーン・インタラクションを実行する必要がある場合に、前記送信元装置によって再生されているメディア・コンテンツのメディア情報を前記送信先装置に送信するように構成される第１の送信ユニットと、
を備え、
前記送信先装置は、
前記メディア情報及び前記送信先装置の前記装置パラメータに従って前記ネットワーク・サーバに前記メディア・コンテンツを要求するように構成されるメディア要求ユニットと、
前記ネットワーク・サーバによって送信された前記メディア・コンテンツが受信された後に、前記送信元装置の前記装置パラメータに従って、前記送信元装置によって再生されている前記メディア・コンテンツの再生状態を検出し、かつ前記再生状態に従って前記送信先装置の前記メディア・コンテンツを再生するように構成される再生ユニットと、
を備え、
前記ネットワーク・サーバは、
前記送信先装置の前記装置パラメータに従って、前記送信先装置の前記装置パラメータに対応するメディア・コンテンツを前記送信先装置に送信するように構成される第２の送信ユニット
を備える、
マルチスクリーン・インタラクション・システム。
【請求項９】
前記送信元装置は、
前記送信先装置が、前記送信元装置が置かれる前記ローカル・エリア・ネットワークにアクセスした後に、前記ローカル・エリア・ネットワーク内の第１のインターネット・プロトコルＩＰアドレスにブロードキャストされ、前記マルチスクリーン・インタラクションをサポートする装置が前記ローカル・エリア・ネットワーク内に存在するかを問い合わせるために使用される問い合わせメッセージを監視し、かつ前記送信先装置との前記マルチスクリーン・インタラクションが実行される予定であることを確認するように構成される第１の監視ユニット、
をさらに備える、請求項８に記載のシステム。
【請求項１０】
前記ネットワーク・サーバは、
前記送信先装置及び前記送信元装置が同一グループにあるか否かを決定し、かつ前記送信先装置及び前記送信元装置が前記同一グループにない場合、前記送信元装置及び前記送信先装置を前記同一グループに設定するように構成される同一グループ・ラベリング・ユニット、
をさらに備える、請求項８に記載のシステム。
【請求項１１】
前記送信元装置は、
前記ネットワーク・サーバから、前記メディア・コンテンツが前記マルチスクリーン・インタラクションをサポートするか否かと、前記送信先装置が前記マルチスクリーン・インタラクションを実行する権限を有するか否かと、を得るように構成されている第１の取得ユニット、
をさらに備え、
前記第１の送信ユニットは、
前記メディア・コンテンツが前記マルチスクリーン・インタラクションをサポートし、かつ前記送信先装置が前記マルチスクリーン・インタラクションを実行する権限を有する場合、前記メディア・コンテンツの前記メディア情報を前記送信先装置に送信するように構成される、
請求項８に記載のシステム。
【請求項１２】
前記第１の取得ユニットは、
前記ネットワーク・サーバから、前記メディア・コンテンツが前記マルチスクリーン・インタラクションをサポートするか否かを取得し、かつ前記メディア・コンテンツが前記マルチスクリーン・インタラクションをサポートすることが得られた後に、前記ネットワーク・サーバから、前記マルチスクリーン・インタラクションが前記メディア・コンテンツについて実行される場合、料金を支払うことが必要であるか否かを得るように構成される第１の獲得モジュールと、
前記ネットワーク・サーバから、前記マルチスクリーン・インタラクションが前記メディア・コンテンツについて実行される場合、前記料金を支払うことが必要であることが得られた後に、前記送信先装置又は前記送信先装置と同一グループにある装置が前記料金を支払ったか否かを得るように構成される、第２の獲得モジュールと、
前記送信元装置が、前記送信先装置又は前記送信先装置と前記同一グループにある前記装置が前記料金を支払ったことを得た場合、前記送信先装置が前記マルチスクリーン・インタラクションを実行する権限を有することを決定するように構成される権限決定モジュールと、
を備える、請求項１１に記載のシステム。
【請求項１３】
前記送信先装置は、
同期制御動作が前記送信先装置を使用することにより前記送信先装置及び前記送信元装置に対して実行されることを要求するために要求メッセージを前記ネットワーク・サーバに送信するように構成される要求ユニット
をさらに備え、
前記ネットワーク・サーバは、
前記要求メッセージが受信された後に、前記送信先装置及び前記送信元装置が同一グループにあるか否かと、前記送信元装置がオンライン状態にあるか否かと、前記送信先装置によって再生されている前記メディア・コンテンツが前記送信元装置によって再生されている前記メディア・コンテンツと同一であるか否かと、を決定するように構成される決定ユニットと、
前記送信先装置及び前記送信元装置が前記同一グループにあることと、前記送信元装置がオンライン状態にあることと、前記送信先装置によって再生されている前記メディア・コンテンツが前記送信元装置によって再生されている前記メディア・コンテンツと同一であることとが決定された場合に、前記送信先装置及び前記送信元装置に対する前記同期制御動作を実行することを前記送信先装置に指示するために、前記要求メッセージに対応するフィードバックメッセージを前記送信先装置に送信するように構成されるフィードバックユニットと、
前記送信先装置が、前記同期制御動作が実行される予定であることを確認した後に、前記送信先装置及び前記送信元装置を接続状態に設定するように構成される接続ユニットと、
をさらに備え、
前記送信先装置は、
状態同期が前記送信先装置の前記メディア・コンテンツ及び前記送信元装置の前記メディア・コンテンツのため実行されるように、前記送信先装置及び前記送信元装置に対して前記同期制御動作であって、前記メディア・コンテンツの一時停止、前記メディア・コンテンツの巻き戻し、前記メディア・コンテンツの早送り、及び前記メディア・コンテンツを閉じること、を含む、前記同期制御動作、を実行するように構成される制御動作ユニット
をさらに備える、
請求項８に記載のシステム。
【請求項１４】
前記ネットワーク・サーバは、
前記送信元装置で再生される前記メディア・コンテンツの進行を監視し、かつ前記送信元装置がオフライン状態になった後に、前記送信元装置で再生される前記メディア・コンテンツの前記進行を保存するように構成される監視及び保存ユニットと、
前記送信元装置と前記同一グループにある前記送信先装置が前記メディア・コンテンツを再生する場合に、前記送信元装置で再生される前記メディア・コンテンツの進行に関して前記送信先装置に入力を促進するように構成される催促ユニットと、
をさらに備え、
前記再生ユニットは、
前記送信先装置が前記送信元装置で再生される前記メディア・コンテンツの前記進行に従って再生を実行することを決定した後に、前記メディア・コンテンツを再生するように構成される、
請求項１０に記載のシステム。
【発明の詳細な説明】
【技術分野】
【０００１】
本出願は、通信技術の分野、特に、マルチスクリーン・インタラクション方法及びシステムに関する。
【背景技術】
【０００２】
マルチスクリーン・インタラクションとは、例えば、テレビ、携帯端末、及びパーソナル・コンピュータのような複数の種類の装置といった、異なる複数の端末の複数のスクリーン上でマルチメディア（音声、映像、画像など）コンテンツについて実行される伝送、構文解析、提示及び制御のような一連の動作のことを指す。マルチスクリーン・インタラクションは、異なる複数の端末プラットフォームの複数の装置に提示されたコンテンツを同時に共有することを可能とし、そしてユーザのマルチメディア生活を豊かにすることができる。
【０００３】
現在のところ、殆どの家庭は、セット・トップ・ボックス（Ｓｅｔ  Ｔｏｐ  Ｂｏｘ、略してＳＴＢ）又はホーム・ビデオ・サーバのような装置を備えている。概して、テレビのような家庭にある装置は、ＳＴＢ又はホーム・メディア・サーバに接続される。ＳＴＢ又はホーム・メディア・サーバは、ホーム・ネットワーク（例えば、ルータに基づく家庭にあるネットワーク）に接続される可能性があるが、概して、移動体端末（例えば、スマートフォン又はタブレットコンピュータ）もまたホーム・ネットワークに接続される可能性がある。現在のところ、マルチスクリーン・インタラクション方法のうちの１つは、以下のとおりである。ＳＴＢ又はホーム・メディア・サーバは、外部ネットワーク・サーバからメディア・コンテンツを集める、又は受け入れ、移動体端末又はテレビがマルチスクリーン・インタラクションを要求し、同一のメディア・コンテンツを受け入れる場合、ＳＴＢ又はホーム・メディア・サーバは、メディア端末又はテレビの装置情報を取得し（ここで、装置情報は、限定されることなく、解像度、装置ブランド、装置モデルなどを含む）、装置情報に従ってメディア・コンテンツのトランスコーディングを行い、トランスコーディング後にメディア・コンテンツを再生のため携帯端末又はテレビに送信し、その間に、移動体端末及びテレビの再生状態を同期させる。
【０００４】
本発明の実施形態を実施する過程において、従来技術には以下の問題がある。
【０００５】
従来技術におけるマルチスクリーン・インタラクションは、ＳＴＢ又はホーム・メディア・サーバに依存する必要がある。ＳＴＢ又はホーム・メディア・サーバがオフライン状態である場合、マルチスクリーン・インタラクションを実行することができない。
【発明の概要】
【発明が解決しようとする課題】
【０００６】
本発明の実施形態は、ＳＴＢ又はホーム・メディア・サーバがオフライン状態にある場合に、マルチスクリーン・インタラクションを実行できない、という従来技術の問題を解決することができるマルチスクリーン・インタラクション方法及びシステムを提供する。
【課題を解決するための手段】
【０００７】
上記目的を達成するために、本発明は、以下の技術的解決手法を採用する。
【０００８】
マルチスクリーン・インタラクション方法は、
送信元装置により、送信元装置の装置パラメータを送信元装置が置かれるローカル・エリア・ネットワークにアクセスする送信先装置に送信し、かつ送信先装置によって送信された送信先装置の装置パラメータを受信することと、
送信先装置がマルチスクリーン・インタラクションを実行する必要がある場合に、送信元装置により、送信元装置により再生されるメディア・コンテンツのメディア情報を送信先装置に送信することと、
送信先装置により、メディア情報及び送信先装置の装置パラメータに従ってネットワーク・サーバにメディア・コンテンツを要求することと、
ネットワーク・サーバにより、送信先装置の装置パラメータに従って、送信先装置の装置パラメータに対応するメディア・コンテンツを送信先装置に送信することと、
ネットワーク・サーバにより送信されたメディア・コンテンツが受信された後に、送信先装置により、送信元装置の装置パラメータに従って、送信元装置により再生されているメディア・コンテンツの再生状態を検出し、再生状態に従って送信先装置のメディア・コンテンツを再生することと、
を含む。
【０００９】
マルチスクリーン・インタラクション・システムは、複数のメディア装置及びネットワーク・サーバを含み、メディア装置は、送信元装置及び送信先装置を含み、送信元装置は、
送信元装置の装置パラメータを送信元装置が置かれるローカル・エリア・ネットワークにアクセスする送信先装置に送信し、かつ送信先装置により送信された送信先装置の装置パラメータを受信するように構成される第１の送受信ユニットと、
送信先装置がマルチスクリーン・インタラクションを実行する必要がある場合に、送信元装置により再生されているメディア・コンテンツのメディア情報を送信先装置に送信するように構成される第１の送信ユニットと、
を含み、
送信先装置は、
メディア情報及び送信先装置の装置パラメータに従ってネットワーク・サーバにメディア・コンテンツを要求するように構成されるメディア要求ユニットと、
ネットワーク・サーバにより送信されたメディア・コンテンツが受信された後に、送信元装置の装置パラメータに従って、送信元装置により再生されているメディア・コンテンツの再生状態を検出し、再生状態に従って送信先装置のメディア・コンテンツを再生するように構成される再生ユニットと、
を含み、
ネットワーク・サーバは、送信先装置の装置パラメータに従って、送信先装置の装置パラメータに対応するメディア・コンテンツを送信先装置に送信するように構成される第２の送信ユニットを含む。
【００１０】
本発明の実施形態によって提供されるマルチスクリーン・インタラクション方法及びシステムによれば、送信元装置及び送信先装置は、それぞれの装置パラメータを交換し、そして送信先装置がマルチスクリーン・インタラクションを実行する必要がある場合に、送信先装置がメディア情報及び送信先装置の装置パラメータに従ってネットワーク・サーバにメディア・コンテンツを要求できるようにするために、送信元装置が送信元装置によって再生されているメディア・コンテンツのメディア情報を送信先装置に送信し、ネットワーク・サーバは、送信先装置の装置パラメータに従って、送信先装置の装置パラメータに対応するメディア・コンテンツを送信先装置に送信し、そしてさらに、送信先装置は、送信元装置の装置パラメータに従って、送信元装置によって再生されているメディア・コンテンツの再生状態を検出し、かつ再生状態に従って送信先装置のメディア・コンテンツを再生する。従来技術と比べると、本発明の実施形態における送信元装置及び送信先装置は、マルチスクリーン・インタラクションが実行される場合に、ＳＴＢ又はホーム・メディア・サーバに依存する必要があることを回避し、かつ送信元装置及び送信先装置がマルチスクリーン・インタラクションを直接的に実行できるようにするために、異なる複数のビットレート又はフォーマットのメディア・コンテンツを、異なる複数の端末の複数の装置パラメータに従って、ネットワーク・サーバを使用して異なる複数の端末に送信することができる。
【００１１】
本発明の実施形態又は従来技術における技術的解決手法をより明瞭に説明するために、実施形態又は従来技術を説明するため必要とされる添付図面を以下で簡単に紹介する。当然ながら、以下の説明における添付図面は、単に本発明のある種の実施形態を示すだけであり、かつ当業者は、創造的な努力なしでこれらの添付図面からさらに他の図面を導くことができる。
【図面の簡単な説明】
【００１２】
【図１】本発明の実施形態によるマルチスクリーン・インタラクション方法のフローチャートである。
【図２】本発明の別の実施形態によるマルチスクリーン・インタラクション方法のフローチャートである。
【図３】本発明の実施形態によるマルチスクリーン・インタラクション・システムの第１の概略構成図である。
【図４】本発明の実施形態によるマルチスクリーン・インタラクション・システムの第２の概略構成図である。
【図５】本発明の実施形態によるマルチスクリーン・インタラクション・システムのアプリケーションシナリオの概略図である。
【発明を実施するための形態】
【００１３】
以下では、本発明の実施形態における添付図面を参照して本発明の実施形態における技術的解決手法を明瞭かつ完全に説明する。当然ながら、説明された実施形態は、本発明の実施形態の全部ではなく、単に一部に過ぎない。創造的な努力なしで本発明の実施形態に基づいて当業者によって得られる他の実施形態すべては、当然に本発明の保護範囲に含まれなければならない。
【００１４】
本発明の技術的解決手法の利点をより明瞭にするために、以下では、添付図面及び実施形態を参照して本発明を詳細に説明する。
【００１５】
図１に示されるように、本発明の実施形態によって提供されるマルチスクリーン・インタラクション方法は、以下を含む。
【００１６】
ステップ１０１：送信元装置は、送信元装置の装置パラメータを送信元装置が位置しているローカル・エリア・ネットワークにアクセスする送信先装置に送信し、そして送信先装置によって送信された送信先装置の装置パラメータを受信する。
【００１７】
装置パラメータは、装置ベンダー、装置識別情報、装置によってサポートされるサービス種別、装置によってサポートされるメディア・フォーマット、装置の解像度などを含むことがあるが、これらに限定されるものではない。
【００１８】
送信元装置が位置しているローカル・エリア・ネットワークは、例えば、ホーム・ネッとワークでもよいが、これに限定されるものではない。
【００１９】
ステップ１０２：送信先装置がマルチスクリーン・インタラクションを実行する必要がある場合、送信元装置は、送信元装置によって再生されているメディア・コンテンツのメディア情報を送信先装置に送信する。
【００２０】
メディア情報は、メディア・コンテンツの名前、メディア・コンテンツの識別情報などを含むことがあるが、これらに限定されるものではない。
【００２１】
ステップ１０３：送信先装置は、メディア情報及び送信先装置の装置パラメータに従ってネットワーク・サーバからのメディア・コンテンツを要求する。
【００２２】
ステップ１０４：ネットワーク・サーバは、送信先装置の装置パラメータに従って、送信先装置の装置パラメータに対応するメディア・コンテンツを送信先装置に送信する。
【００２３】
具体的には、送信先装置の装置パラメータは、送信元装置の装置パラメータと異なることがあり、例えば、送信先装置の解像度は、送信元装置の解像度と異なるので、ネットワーク・サーバは、メディア・コンテンツが送信先装置で再生される場合により良い効果が達成されるように、送信先装置のパラメータに従って（送信先装置の解像度、送信先装置によってサポートされたメディア・フォーマットなどに従って）、対応するメディア・コンテンツを送信先装置に送信する。
【００２４】
ステップ１０５：ネットワーク・サーバによって送信されたメディア・コンテンツが受信された後に、送信先装置は、送信元装置の装置パラメータに従って、送信元装置によって再生されているメディア・コンテンツの再生状態を検出し、そして再生状態に従って送信先装置のメディア・コンテンツを再生する。
【００２５】
具体的には、送信先装置は、送信元装置の装置パラメータに従って（例えば、送信元装置の装置識別情報に従って）送信元装置に問い合わせる。
【００２６】
なお、送信元装置と送信先装置とは、同一の装置端末であってもよく、或いは、異なる装置端末であってもよく、かつ送信先装置及び送信元装置は、同一の機能モジュールを有してもよいので、類似するシナリオにおいて、送信先装置が送信元装置としての機能を果たしてもよく、かつ、送信元装置が同様に送信先装置としての機能を果たしてもよいが、これらに限定されるものではない。送信先装置及び送信元装置は、例えば、テレビ、スマートフォン、タブレット・コンピュータ、ノートブック・コンピュータなどでもよいが、これらに限定されるものではない。
【００２７】
本発明の本実施形態により提供されるマルチスクリーン・インタラクション方法によれば、送信元装置及び送信先装置は、それぞれの装置パラメータを交換し、そして送信先装置がマルチスクリーン・インタラクションを実行する必要がある場合、送信先装置がメディア情報及び送信先装置の装置パラメータに従ってネットワーク・サーバにメディア・コンテンツを要求できるようにするために、送信元装置は、送信元装置によって再生されているメディア・コンテンツのメディア情報を送信先装置に送信し、ネットワーク・サーバは、送信先装置の装置パラメータに従って、送信先装置の装置パラメータに対応するメディア・コンテンツを送信先装置に送信し、そしてさらに、送信先装置は、送信元装置の装置パラメータに従って、送信元装置によって再生されているメディア・コンテンツの再生状態を検出し、かつ再生状態に従って送信先装置のメディア・コンテンツを再生する。従来技術と比べると、本発明の実施形態における送信元装置及び送信先装置は、マルチスクリーン・インタラクションが実行される場合に、ＳＴＢ又はホーム・メディア・サーバに依存する必要があることを回避し、かつ送信元装置及び送信先装置がマルチスクリーン・インタラクションを直接的に実行できるようにするために、異なる複数のビットレート又はフォーマットのメディア・コンテンツを、異なる複数の端末の複数の装置パラメータに従って、ネットワーク・サーバを使用して異なる複数の端末に送信することができる。
【００２８】
図２に示されるように、本発明の別の実施形態によって提供されるマルチスクリーン・インタラクション方法は、以下を含む。
【００２９】
ステップ２０１：送信先装置は、送信元装置が位置しているローカル・エリア・ネットワークにアクセスし、問い合わせメッセージをローカル・エリア・ネットワーク内の第１のインターネット・プロトコルＩＰアドレスにブロードキャストする。
【００３０】
問い合わせメッセージは、マルチスクリーン・インタラクションをサポートする装置がローカル・エリア・ネットワーク内に存在するか否かを問い合わせるために使用される。ローカル・エリア・ネットワークは、例えば、ホーム・ネットワークでもよく、かつ第１のＩＰアドレスは、プリセットＩＰアドレスでもよいが、これらに限定されるものではない。
【００３１】
ステップ２０２：送信元装置は、第１のＩＰアドレス上で問い合わせメッセージを監視し、そして送信先装置とのマルチスクリーン・インタラクションが実行される予定であることを確認する。
【００３２】
具体的には、送信元装置がマルチスクリーン・インタラクションをサポートする場合、第１のＩＰアドレス上の問い合わせメッセージを監視した後に、送信元装置は、送信先装置とのマルチスクリーン・インタラクションが実行される予定であることを確認するために、ネットワーク・サーバに報告することがあるが、これに限定されるものではない。
【００３３】
ステップ２０３：送信元装置は、送信元装置の装置パラメータを送信先装置に送信し、そして送信先装置によって送信された送信先装置の装置パラメータを受信する。
【００３４】
装置パラメータは、装置ベンダー、装置識別情報、装置によってサポートされるサービス種別、装置によってサポートされるメディア・フォーマット、装置の解像度などを含むことがあるが、これらに限定されるものではない。
【００３５】
ステップ２０４：送信先装置がマルチスクリーン・インタラクションを実行する必要がある場合、送信元装置は、ネットワーク・サーバから、メディア・コンテンツがマルチスクリーン・インタラクションをサポートするか否かを取得し、メディア・コンテンツがマルチスクリーン・インタラクションをサポートする場合、ステップ２０５を実行し、そうではない場合、ステップ２０８を実行する。
【００３６】
具体的には、送信先装置が送信元装置によって再生されているメディア・コンテンツを実行する必要がある場合、送信先装置は、マルチスクリーン・インタラクションを実行する必要がある。
【００３７】
フォーマット及び解像度が共に異なる（例えば、高精細映像である）場合、異なるメディア・コンテンツは、異なる権限を有し、かつ同一のメディア・コンテンツも同様に異なる権限を有する。その結果、送信元装置は、メディア・コンテンツがマルチ・スクリーン・インタラクションをサポートするか否かをネットワーク・サーバに確認する。
【００３８】
ステップ２０５：送信元装置は、マルチスクリーン・インタラクションがこのメディア・コンテンツについて実行された場合、ネットワーク・サーバから、料金を支払う必要があるか否かを取得し、料金を支払う必要がある場合、ステップ２０６を実行し、そうではない場合、ステップ２０７を実行する。
【００３９】
具体的には、マルチスクリーン・インタラクションがこのメディア・コンテンツについて実行される場合、マルチスクリーン・インタラクション権限を取得するために料金を支払う必要があることがあり、或いは、例えば、送信先装置の装置解像度が比較的高く、かつメディア・コンテンツが送信先装置上で再生される場合、より高い品質をもつメディア・コンテンツ（例えば、高精細映像）が必要とされ、そしてその結果、ネットワーク・サーバは、より高い品質をもつメディア・コンテンツを送信先装置に送信する必要があり、そして高い品質をもつメディア・コンテンツを取得するために料金を支払う必要があるかもしれないが、これらに限定されるものではない。
【００４０】
ステップ２０６：送信元装置は、ネットワーク・サーバから、送信先装置、又は送信先装置と同一グループにある装置が料金を支払ったか否かを取得し、送信先装置、又は送信先装置と同一グループにある装置が料金を支払っている場合、ステップ２０７を実行し、そうではない場合、ステップ２０８を実行する。
【００４１】
具体的には、同一グループとは、同一のグループの中の複数の装置が同一の再生権限を持つことができるようにするために、送信先装置がいくつかの装置とのマルチスクリーン・インタラクションを実行した後に、この送信先装置とこれらの装置とを同一グループとして分類する、というものである。例えば、同一グループにある１台の装置が支払動作の実行を完了している限り、同一グループにある別の装置は、対応するメディア・コンテンツを再生することが可能であり、そしてその結果、送信先装置、又は送信先装置と同一グループにある装置が料金を支払った後に、送信先装置は、マルチスクリーン・インタラクションを実行する権限を有する。
【００４２】
ステップ２０７：送信先装置は、マルチスクリーン・インタラクションを実行する権限を有し、送信元装置は、メディア・コンテンツのメディア情報を送信先装置に送信し、そして送信先装置は、ステップ２０９へ進む。
【００４３】
メディア情報は、メディア・コンテンツの名前、メディア・コンテンツの識別情報などを含むことがあるが、これらに限定されるものではない。
【００４４】
ステップ２０８：送信元装置は、メディア・コンテンツを送信先装置上で再生することができないというフィードバックメッセージを送信先装置に送信する。
【００４５】
場合によっては、送信元装置は、対応する対策、例えば、支払動作を実行することを送信先装置に促すために、メディア・コンテンツを送信先装置上で再生することができない理由を送信先装置にさらにフィードバックすることがあるが、これらに限定されるものではない。
【００４６】
ステップ２０９：送信先装置は、メディア情報及び送信先装置の装置パラメータに従って、ネットワーク・サーバにメディア・コンテンツを要求する。
【００４７】
ステップ２１０：ネットワーク・サーバは、送信先装置の装置パラメータに従って、送信先装置の装置パラメータに対応するメディア・コンテンツを送信先装置に送信する。
具体的には、送信先装置の装置パラメータは、送信元装置の装置パラメータと異なることがあり、例えば、送信先装置の解像度は、送信元装置の解像度と異なるので、ネットワーク・サーバは、メディア・コンテンツが送信先装置上で再生される場合により良い効果が達成されるように、送信先装置のパラメータに従って（送信先装置の解像度、装置によってサポートされたメディア・フォーマットなどに従って）対応するメディア・コンテンツを送信先装置に送信する。
【００４８】
ステップ２１１：ネットワーク・サーバによって送信されたメディア・コンテンツが受信された後に、送信先装置は、送信元装置の装置パラメータに従って、送信元装置によって再生されているメディア・コンテンツの再生状態を検出し、そして再生状態に従って送信先装置のメディア・コンテンツを再生する。
【００４９】
ステップ２１２：ネットワーク・サーバは、送信先装置及び送信元装置が同一グループにあるか否かを決定し、そして送信先装置及び送信元装置が同一グループにない場合、送信元装置及び送信先装置を同一グループに設定する。
【００５０】
具体的には、ネットワーク・サーバは、後のアプリケーションにおいて、送信元装置及び送信先装置が同一の再生権限を有し、かつ対応する同期制御動作を実行できるようにするために、送信元装置及び送信先装置の装置パラメータ（例えば、装置の識別子）に従って送信元装置及び送信先装置を同一グループとして分類するが、これらに限定されるものではない。
【００５１】
ステップ２１３：送信先装置は、送信先装置を使用することにより同期制御動作が送信先装置及び送信元装置に対して実行されることを要求するために、要求メッセージをネットワーク・サーバに送信する。
【００５２】
ステップ２１４：要求メッセージが受信された後に、ネットワーク・サーバは、送信先装置及び送信元装置が同一グループにあるか否かと、送信元装置がオンライン状態であるか否かと、送信先装置によって再生されているメディア・コンテンツが送信元装置によって再生されているメディア・コンテンツと同一であるか否かと、を決定する。
【００５３】
ステップ２１５：ネットワーク装置が、送信先装置及び送信元装置が同一グループにあることと、送信元装置がオンライン状態にあることと、送信先装置によって再生されているメディア・コンテンツが送信元装置によって再生されているメディア・コンテンツと同一であることとを決定したとき、ネットワーク・サーバは、送信先装置及び送信元装置に対する同期制御動作の実行を送信先装置に指示するために、要求メッセージに対応するフィードバックメッセージを送信先装置に送信する。
【００５４】
ステップ２１６：送信先装置が、同期制御動作が実行される予定であることを確認した後に、ネットワーク・サーバは、送信先装置及び送信元装置を接続状態に設定する。
【００５５】
ステップ２１７：送信先装置は、状態同期が送信先装置のメディア・コンテンツ及び送信元装置のメディア・コンテンツに対して実行されるようにするために、送信先装置及び送信元装置に対して同期制御動作を実行する。
【００５６】
同期制御動作は、メディア・コンテンツを一次停止することと、メディア・コンテンツを巻き戻すことと、メディア・コンテンツを早送りすることと、メディア・コンテンツを閉じることとを含む。
【００５７】
例えば、送信先装置が送信先装置上で再生されるメディア・コンテンツを早送りする場合、送信元装置上で再生されるメディア・コンテンツも、同時に早送りされるが、これに限定されるものではない。
【００５８】
ステップ２１８：ネットワーク・サーバは、送信元装置上で再生されるメディア・コンテンツの進行を監視し、そして送信元装置がオフライン状態になった後に、送信元装置上で再生されるメディア・コンテンツの進行を保存する。
【００５９】
ステップ２１９：送信元装置と同一グループにある送信先装置がメディア・コンテンツを再生する場合、ネットワーク・サーバは、送信元装置上で再生されたメディア・コンテンツの進行に関して送信先装置に入力を促す。
【００６０】
ステップ２２０：送信先装置は、送信先装置が送信元装置上で再生されたメディア・コンテンツの進行に従って再生を実行することを決定した後に、メディア・コンテンツを再生する。
【００６１】
本発明の別の実施形態によって提供されたマルチスクリーン・インタラクション方法によれば、送信元装置及び送信先装置は、それぞれの装置パラメータを交換し、そして送信先装置がマルチスクリーン・インタラクションを実行する必要がある場合、送信先装置がメディア情報及び送信先装置の装置パラメータに従ってネットワーク・サーバにメディア・コンテンツを要求できるようにするために、送信元装置は、送信元装置によって再生されているメディア・コンテンツのメディア情報を送信先装置に送信し、ネットワーク・サーバは、送信先装置の装置パラメータに従って、送信先装置の装置パラメータに対応するメディア・コンテンツを送信先装置に送信し、そして、さらに、送信先装置は、送信元装置の機器パラメータに従って、送信元装置によって再生されているメディア・コンテンツの再生状態を検出し、そして再生状態に従って送信先装置のメディア・コンテンツを再生する。従来技術と比べると、本発明の実施形態における送信元装置及び送信先装置は、マルチスクリーン・インタラクションが実行される場合、ＳＴＢ又はホーム・メディア・サーバに依存する必要があることを回避し、そして送信元装置及び送信先装置がマルチスクリーン・インタラクションを直接的に実行できるようにするために、異なる複数の端末の複数の装置パラメータに従って、異なる複数のビットレート又はフォーマットのメディア・コンテンツを、ネットワーク・サーバを使用することにより、異なる複数の端末に送信することができる。
【００６２】
図３に示されるように、本発明の実施形態によって提供されたマルチスクリーン・インタラクション・システムは、複数のメディア装置及びネットワーク・サーバ３３を含み、複数のメディア装置は、送信元装置３１及び送信先装置３２を含み、かつ送信元装置３１は、
送信元装置３１の装置パラメータを送信元装置３１が位置しているローカル・エリア・ネットワークにアクセスする送信先装置３２に送信し、かつ送信先装置３２によって送信された送信先装置３２の装置パラメータを受信するように構成され、具体的な実施様態については、図１のステップ１０１を参照し、ここでは繰り返し説明しない、第１の送受信ユニット３１１と、
送信先装置３２がマルチスクリーン・インタラクションを実行する必要がある場合、送信元装置３１によって再生されているメディア・コンテンツのメディア情報を送信先装置３２に送信するように構成され、具体的な実施様態については、図１のステップ１０２を参照し、ここでは繰り返し説明しない、第１の送信ユニット３１２と、
を含む。
【００６３】
送信先装置３２は、
メディア情報及び送信先装置３２の装置パラメータに従って、ネットワーク・サーバ３３にメディア・コンテンツを要求するように構成され、具体的な実施様態については、図１のステップ１０３を参照し、ここでは繰り返し説明しない、メディア要求ユニット３２１と、
ネットワーク・サーバ３３によって送信されたメディア・コンテンツが受信された後に、送信元装置３１の装置パラメータに従って、送信元装置３１によって再生されているメディア・コンテンツの再生状態を検出し、かつ再生状態に従って、送信先装置３２のメディア・コンテンツを再生するように構成され、具体的な実施様態については、図１のステップ１０５を参照し、ここでは繰り返し説明しない、再生ユニット３２２と、
を含む。
【００６４】
ネットワーク・サーバ３３は、
送信先装置３２の装置パラメータに従って、送信先装置３２の装置パラメータに対応するメディア・コンテンツを送信先装置３２に送信するように構成され、具体的な実施様態については、図１のステップ１０４を参照し、ここでは繰り返し説明しない、第２の送信ユニット３３１を含む。
【００６５】
さらに、図４に示されるように、送信元装置３１は、送信先装置３２が、送信元装置３１が位置しているローカル・エリア・ネットワークにアクセスした後に、ローカル・エリア・ネットワーク内の第１のインターネット・プロトコルＩＰアドレスにブロードキャストされた問い合わせメッセージを監視し、かつ送信先装置３２とのマルチスクリーン・インタラクションが実行される予定であることを確認するように構成され、問い合わせメッセージは、マルチスクリーン・インタラクションをサポートする装置がローカル・エリア・ネットワーク内に存在するかどうかを問い合わせるために使用され、かつ具体的な実施様態については、図２のステップ２０１及び２０２を参照し、ここでは繰り返し説明しない、第１の監視ユニット３１３をさらに含む。
【００６６】
さらに、図４に示されるように、ネットワーク・サーバ３３は、送信先装置３２及び送信元装置３１が同一グループにあるか否かを決定し、かつ送信先装置３２及び送信元装置３１が同一グループにない場合、送信元装置３１及び送信先装置３２を同一グループに設定するように構成され、具体的な実施様態については、図２のステップ２１２を参照し、ここでは繰り返し説明しない、同一グループ・ラベリング・ユニット３３２をさらに含む。
【００６７】
さらに、図４に示されるように、送信元装置３１は、ネットワーク・サーバ３３から、メディア・コンテンツがマルチスクリーン・インタラクションをサポートするか否かと、送信先装置３２がマルチ・メディア・インタラクションを実行する権限を有するか否かと、を取得するように構成され、具体的な実施様態については、図２のステップ２０４から２０６を参照し、ここでは繰り返し説明しない、第１の取得ユニット３１４をさらに含む。
【００６８】
第１の送信ユニット３１２は、具体的には、メディア・コンテンツがマルチスクリーン・インタラクションをサポートし、かつ送信先装置３２がマルチスクリーン・インタラクションを実行する権限を有する場合、送信元装置３１は、メディア・コンテンツのメディア情報を送信先装置３３に送信するように構成され、具体的な実施様態については、図２のステップ２０７を参照し、ここでは繰り返し説明しない。
【００６９】
さらに、図４に示されるように、第１の取得ユニット３１４は、
ネットワーク・サーバ３３から、メディア・コンテンツがマルチスクリーン・インタラクションをサポートするか否かを取得し、かつメディア・コンテンツがマルチスクリーン・インタラクションをサポートすることを取得した後に、ネットワーク・サーバ３３から、マルチスクリーン・インタラクションがメディア・コンテンツのため実行される場合、料金を支払うことが必要であるか否かを取得するように構成され、具体的な実施様態については、図２のステップ２０４及び２０５を参照し、ここでは繰り返し説明しない、第１の取得モジュール３１４１と、
ネットワーク・サーバ３３から、マルチスクリーン・インタラクションがメディア・コンテンツのため実行される場合、料金を支払うことが必要であることが取得された後に、送信先装置３２又は送信先装置３１と同一グループにある装置が料金を支払ったか否かを取得するように構成され、具体的な実施様態については、図２のステップ２０６を参照し、ここでは繰り返し説明しない、第２の取得モジュール３１４２と、
送信元装置３１が、送信先装置３２又は送信先装置３２と同一グループにある装置が料金を支払ったことを取得した場合、送信先装置３２がマルチスクリーン・インタラクションを実行する権限を有することを決定するように構成され、具体的な実施様態については、図２のステップ２０７を参照し、ここでは繰り返し説明しない、権限決定モジュール３１４３と、
を含む。
【００７０】
さらに、図４に示されるように、送信先装置３２は、送信先装置３２を使用することにより送信先装置３２及び送信元装置３１に対して同期制御動作が実行されることを要求するための要求メッセージをネットワーク・サーバ３３に送信するように構成され、具体的な実施様態については、図２のステップ２１３を参照し、ここでは繰り返し説明しない、要求ユニット３２３をさらに含む。
【００７１】
ネットワーク・サーバ３３は、
要求メッセージが受信された後に、送信先装置３２及び送信元装置３１が同一グループにあるか否かと、送信元装置３１がオンライン状態にあるか否かと、送信先装置３２によって再生されているメディア・コンテンツが送信元装置３１によって再生されているメディア・コンテンツと同一であるか否かと、を決定するように構成され、具体的な実施様態については、図２のステップ２１４を参照し、ここでは繰り返し説明しない、決定ユニット３３３と、
送信先装置３２及び送信元装置３１が同一グループにあることと、送信元装置３１がオンライン状態にあることと、送信先装置３２によって再生されているメディア・コンテンツが送信元装置３１によって再生されているメディア・コンテンツと同一であることとが決定された場合、送信先装置３２及び送信元装置３１に対する同期制御動作を実行することを送信先装置３２に指示するために、要求メッセージに対応するフィードバックメッセージを送信先装置３２に送信するように構成され、具体的な実施様態については、図２のステップ２１５を参照し、ここでは繰り返し説明しない、フィードバックユニット３３４と、
送信先装置３２が、同期制御動作が実行される予定であることを確認した後に、送信先装置３２及び送信元装置３１を接続状態に設定するように構成され、具体的な実施様態については、図２のステップ２１６を参照し、ここでは繰り返し説明しない、接続ユニット３５５と、
をさらに含む。
【００７２】
送信先装置３２は、状態同期が送信先装置３２のメディア・コンテンツ及び送信元装置３１のメディア・コンテンツに対して実行されるように、送信先装置３２及び送信元装置３１に対する同期制御動作を実行するように構成されている制御動作ユニット３２４をさらに含む。
【００７３】
同期制御動作は、メディア・コンテンツを一時停止すること、メディア・コンテンツを巻き戻すこと、メディア・コンテンツを早送りすること、及びメディア・コンテンツを閉じることを含む。これの具体的な実施様態については、図２のステップ２１７を参照し、ここでは繰り返し説明しない。
【００７４】
さらに、図４に示されるように、ネットワーク・サーバ３３は、
送信元装置３１上で再生されるメディア・コンテンツの進行を監視し、かつ送信元装置３１がオフライン状態になった後に、送信元装置３１上で再生されるメディア・コンテンツの進行を保存するように構成され、具体的な実施様態については、図２のステップ２１７を参照し、ここでは繰り返し説明しない、監視及び保存ユニット３３６と、
送信元装置３１と同一グループにある送信先装置３２がメディア・コンテンツを再生する場合、送信元装置３１上で再生されるメディア・コンテンツの進行に関して送信先装置３２に入力を催促するように構成され、具体的な実施様態については、図２のステップ２１９を参照し、ここでは繰り返し説明しない、催促ユニット３３７と、
をさらに含む。
【００７５】
再生ユニット３２２は、具体的には、送信先装置３２が送信元装置３１上で再生されるメディア・コンテンツの進行に従って再生を実行することを決定した後に、メディア・コンテンツを再生するように構成され、この再生ユニットの具体的な実施様態については、図２のステップ２１７を参照し、ここでは繰り返し説明しない。
【００７６】
なお、本発明の本実施形態では、同一グループにある送信元装置及び送信先装置は、同一のローカル・エリア・ネットワーク（例えば、同一のホーム・ネットワーク）内で動作してもよく、又は異なったローカル・エリア・ネットワーク内で動作してもよい、ということに注意すべきである。送信先装置及び送信元装置が異なったローカル・エリア・ネットワーク内で動作し、かつマルチスクリーン・インタラクションを実行することが必要である場合、遠隔マルチスクリーン・インタラクションを実行できるようにするために、現行のマルチスクリーン・インタラクションを実行する前に、送信先装置は、同一のローカル・エリア・ネットワーク内にある送信元装置とのマルチスクリーン・インタラクションを実行することが必要である。
【００７７】
当業者が本発明の本実施形態により提供されるマルチスクリーン・インタラクション・システムをより良く理解するのを支援するために、以下では、マルチスクリーン・インタラクション・システムの具体的なアプリケーションシナリオの実施例を提供する。創造的な努力を行うことなく、当業者は、本明細書において限定されるものではない、マルチスクリーン・インタラクション・システムのより多くのアプリケーションシナリオ実施例をさらに提供することができる、ということに注意すべきである。
【００７８】
図５に示されるように、マルチスクリーン・インタラクション・システムは、２つの部分、すなわち、サーバ部４１及びホーム・ネットワーク部４２に分割されることがある。サーバ部４１は、インターネットを介してホーム・ネットワーク部４２に接続されている。
【００７９】
サーバ部４１は、映像コンテンツ提供ユニット４１１と、映像コンテンツ情報ユニット４１２と、端末管理ユニット４１３と、映像コンテンツ送信ユニット４１４と、映像コンテンツ提供ユニット４１１、映像コンテンツ情報ユニット４１２、端末管理ユニット４１３、及び映像コンテンツ送信ユニット４１４に接続されている映像コンテンツ管理ユニット４１５とを含む。
【００８０】
具体的には、映像コンテンツ提供ユニット４１１は、映像コンテンツ、例えば、映画、ウェブテレビジョン、及び映像音楽を提供するように構成されている。
【００８１】
映像コンテンツ情報ユニット４１２は、映像コンテンツの関連情報に相互接続するように構成される。ここで、映像コンテンツの関連情報は、映像コンテンツの関連情報（マイクロブログ及びフォーラム等であってもよいが、それには限定されない）を提供できるウェブサイトであってもよい。
【００８２】
端末管理ユニット４１３は、ホーム・ネットワーク部４２内の端末をグループ分けするように構成されている。
【００８３】
映像コンテンツ送信ユニット４１４は、映像コンテンツ提供ユニット４１１によって提供された映像コンテンツを、インターネットを介してホーム・ネットワーク部４２に送信するように構成されている。
【００８４】
映像コンテンツ管理ユニット４１５は、映像コンテンツについてマルチスクリーン・インタラクションを実行する権限を管理するように構成され、映像コンテンツを取得することがあるが、これらに限定されるものではない。
【００８５】
ホーム・ネットワーク部４２は、無線ルーティング装置４２１と、無線ルーティング装置４２１に接続されたホーム・メディア装置４２２及び移動体端末装置４２３とを含み、移動体端末装置４２３は、インターネットに通信接続していることがある。
【００８６】
無線ルーティング装置４２１は、ホーム・ネットワークを構築するように構成されている。ホーム・メディア装置４２２は、ストリーミング・メディア・プレーヤと、デスクトップ・コンピュータと、セット・トップ・ボックスなどを含むが、これらに限定されるものではない。
【００８７】
本発明の本実施形態によって提供されるマルチスクリーン・インタラクション・システムによれば、送信元装置及び送信先装置は、それぞれの装置パラメータを交換し、かつ送信先装置がマルチスクリーン・インタラクションを実行することが必要である場合、送信先装置がメディア情報及び送信先装置の装置パラメータに従ってネットワーク・サーバにメディア・コンテンツを要求できるようにするために、送信元装置は、送信元装置によって再生されているメディア・コンテンツのメディア情報を送信先装置に送信し、ネットワーク・サーバは、送信先装置の装置パラメータに従って、送信先装置の装置パラメータに対応するメディア・コンテンツを送信先装置に送信し、そして、さらに、送信先装置は、送信元装置の装置パラメータに従って、送信元装置によって再生されているメディア・コンテンツの再生状態を検出し、かつ再生状態に従って送信先装置のメディア・コンテンツを再生する。従来技術と比べると、本発明の実施形態における送信元装置及び送信先装置は、マルチスクリーン・インタラクションが実行される場合、ＳＴＢ又はホーム・メディア・サーバに依存する必要があることを回避し、そして送信元装置及び送信先装置がマルチスクリーン・インタラクションを直接的に実行できるようにするために、異なる複数の端末の複数の装置パラメータに従って、異なる複数のビットレート又はフォーマットのメディア・コンテンツを、ネットワーク・サーバを使用することにより、異なる複数の端末に送信することができる。
【００８８】
実施形態についての上記説明に基づいて、当業者は、本発明は必要な汎用ハードウェアに加えてソフトウェアによって、又はハードウェアだけによって実施されてもよい、ということを明瞭に理解するであろう。殆どの状況において、前者が好ましい実施様態である。このような理解に基づいて、本発明の技術的解決手法は本質的に、又は従来技術に貢献する部分は、ソフトウェア製品の形式で実施されることがある。ソフトウェア製品は、コンピュータのフレキシブルディスク、ハードディスク、又は光ディスクのような読み取り可能な記憶媒体に記憶され、かつ本発明の実施形態において説明された方法を実行することを（パーソナル・コンピュータ、サーバ、又はネットワーク装置でもよい）コンピュータ装置に指示するいくつかの命令を含む。
【００８９】
以上の説明は、本発明の単なる具体的な実施様態であるが、本発明の保護範囲を制限することは意図されていない。本発明において開示された技術的範囲内において当業者によって容易に見出される変更又は置換はどれでも、当然に本発明の保護範囲に属さなければならない。従って、本発明の保護範囲は、複数の請求項の保護範囲に従わなければならない。
【図１】
0005989895.tif 000002
【図２】
0005989895.tif 000003
【図３】
0005989895.tif 000004
【図４】
0005989895.tif 000005
【図５】
0005989895.tif 000006